(57)【要約】【課題】複雑で高価な輸送用の容器を必要とすることなく、生育していく植物本来の魅力を受領者に供与して、長く鑑賞できるその植物の魅力を通じて送り主のＰＲ効果も最大限に発揮する。【解決手段】植物用小包１は、用土２を収納した鉢状容器３に植えた植物４と、印刷物５と、これら植物４と印刷物５とを格納し、一枚の段ボール部材から展開自在に形成して、側部表面に、植物用小包１の届け先の住所と宛先名を表示する届け先表示部と、内部を確認自在で且つ外気の通気を行う通気孔とを有する略三角柱状の格納箱６とを有して構成されている。植物用小包１は冊子小包としての規格を満足し、植物４としては、観葉植物、花鉢、或いは、多肉植物の何れかが採用される。【選択図】図５
2008254803.tif 000002
【特許請求の範囲】
【請求項１】
用土を収納した鉢状容器に植えた植物と、印刷物と、これら用土を収納した鉢状容器に植えた植物と印刷物とを格納する柱状の格納箱とを備え、最長辺と幅と高さの長さの和を１．７ｍ以下に形成すると共に重量を３．０kg以下に形成した植物用小包であって、
上記格納箱は、一枚の段ボール部材から展開自在に形成して、側部表面に、該植物用小包の届け先の住所と宛先名を表示する届け先表示部と、上記格納箱の内部を確認自在で且つ外気の通気を行う通気孔とを有し、内側底部に、上記植物の鉢状容器を固定する固定部を一体に設けたことを特徴とする植物用小包。
【請求項２】
上記植物は、観葉植物と花鉢と多肉植物の何れかであることを特徴とする請求項１記載の植物用小包。
【請求項３】
上記植物を植える用土は、ピートモスであることを特徴とする請求項１又は請求項２記載の植物用小包。
【請求項４】
上記格納箱は、略三角柱状に形成したことを特徴とする請求項１乃至請求項３の何れか一つに記載の植物用小包。
【請求項５】
上記格納箱は、第１の側面に上記届け先表示部を設け、第２の側面に上記通気口を設けて、第３の側面に縦長の切り込み部を形成し、上記第１の側面と上記第２の側面のどちらかの側面から上記切り込み部に係止自在な突出部を備えた係止面を延設したことを特徴とする請求項４記載の植物用小包。
【発明の詳細な説明】
【技術分野】
【０００１】
本発明は、観葉植物や、花鉢や、多肉植物を配送する際に利用する植物用小包に関する。
【背景技術】
【０００２】
従来より、生花やドライフラワー等の植物を郵送或いは宅配を利用して配達することが行われており、特に、これら植物は、受け取った人から多大な感謝を受けることから、その効果をより様々な分野で活用することが考えられている。
【０００３】
このような植物を輸送する技術として、例えば、特開平７−２２３６９３号公報では、胡蝶蘭等の生花を給水材を取り付けて透明ケースに収納し、且つ、所望の色や模様を描いた背景パネルと共に植物輸送兼展示用容器の植物収納部内に収納配置して、扉に祝電等の電文を貼り付け、この状態で電報として結婚式場等の所定の場所に配達する技術が開示されている。そして、この電報を受領した者は、扉を開けて電文を読むと共に、自立させて生花を鑑賞展示させることができ、また、扉を植物収納部から離脱させて、この状態で植物収納部を自立展示したり、壁掛けとして用いたりすることにより、この状態で数週間の鑑賞を可能としている。
【特許文献１】特開平７−２２３６９３号公報
【発明の開示】
【発明が解決しようとする課題】
【０００４】
しかしながら、上述の特許文献１に開示される植物の輸送に係る技術では、植物輸送兼展示用容器自体を鑑賞の対象として耐えうるように製作するため、植物輸送兼展示用容器が一定の規格を満足しつつ複数の部品から構成されることから、それぞれの部品や材料が高価となり、また、組み立て作業も複雑であるという問題がある。また、受領した生花は、できるだけ長く鑑賞できることが望ましいが、上述の特許文献１の例では数週間しか鑑賞できないという問題もある。ところで、近年、ダイレクトメール等で様々なものが郵送されているが、受領者に読んでもらえる数が少ないという欠点がある。このため、こうしたダイレクトメールに対し、生花等を共に送り、確実に受領者に読んでもらえるようにすることが考えられている。
【０００５】
本発明は上記事情に鑑みてなされたもので、複雑で高価な輸送用の容器を必要とすることなく、生育していく植物本来の魅力を受領者に供与して、長く鑑賞できるその植物の魅力を通じて送り主のＰＲ効果も最大限に発揮することができる植物用小包を提供することを目的とする。
【課題を解決するための手段】
【０００６】
本発明は、用土を収納した鉢状容器に植えた植物と、印刷物と、これら用土を収納した鉢状容器に植えた植物と印刷物とを格納する柱状の格納箱とを備え、最長辺と幅と高さの長さの和を１．７ｍ以下に形成すると共に重量を３．０kg以下に形成した植物用小包であって、上記格納箱は、一枚の段ボール部材から展開自在に形成して、側部表面に、該植物用小包の届け先の住所と宛先名を表示する届け先表示部と、上記格納箱の内部を確認自在で且つ外気の通気を行う通気孔とを有し、内側底部に、上記植物の鉢状容器を固定する固定部を一体に設けたことを特徴としている。
【発明の効果】
【０００７】
本発明による植物用小包は、複雑で高価な輸送用の容器を必要とすることなく、生育していく植物本来の魅力を受領者に供与して、長く鑑賞できるその植物の魅力を通じて送り主のＰＲ効果も最大限に発揮することが可能となる。
【発明を実施するための最良の形態】
【０００８】
以下、図面に基づいて本発明の実施の形態を説明する。  
図１乃至図７は本発明の実施の一形態を示し、図１は植物用小包の正面及び左側面の説明図、図２は植物用小包の正面及び右側面の説明図、図３は植物用小包の格納箱の展開図、図４は植物用小包を組み立てる際の説明図、図５は植物用小包内に格納される植物の様子を示す説明図、図６は植物の説明図、図７は植物の断面説明図である。
【０００９】
これらの図において、符号１は植物用小包を示し、この植物用小包１は、用土２を収納した鉢状容器３に植えた植物４と、印刷物５と、これら植物４と印刷物５とを格納する略三角柱状の格納箱６とを有して構成されている。本実施の形態では、植物用小包１の大きさは、上下（最長辺）寸法Ｌ１が約２３５mm、幅寸法Ｌ２が約１３０mm、高さ寸法Ｌ３が約１００mmであり、重量が約２００ｇに形成され、すなわち、最長辺と幅と高さの長さの和が１．７ｍ以下に形成されると共に重量が３．０kg以下に形成されて、所謂、冊子小包としての規格を満足するようになっている。
【００１０】
植物４は、図６、図７に示すように、鉢状容器３に入れた用土２に植えられており、この植物４としては、チャメドレア、パキラ、ドラセナ、コーヒーの木等の観葉植物、ミニバラ、ポインセチア等の花鉢、或いは、サボテン等の多肉植物が採用される。
【００１１】
用土２は、通気性、保水性、保肥性が高く、かつ軽量なものである必要があり、また、輸送中に、鉢の底から土がこぼれ出てしまわないように、繊維質のものが望ましい。このため、所謂、ピートモスが使用される。このピートモスは、水苔などの植物を腐食させ堆積させたものを乾燥し粉砕したもので、上記要件をすべて満足する。
【００１２】
鉢状容器３は、内側のビニールポット７と外側のプラスチック容器８の２重構造になっており、ビニールポット７は生産地での植物生育に用いられていたものがそのまま使用され、底面には、給水孔７ａが略中央に一カ所設けられている。
【００１３】
プラスチック容器８は、上部開口部側が拡径された段状の小鉢形状に形成されており、軽量、且つ、強度があり、扱い易いという要件を満たすプラスチック材料で形成されている。また、プラスチック容器８は、そのままテーブル等の上に配設して植物４の生育が行われることを考慮して、底部に複数の水抜き孔８ａが形成されると共に、外観の良い色彩（例えば、水色、ピンク等のパステルカラー）、模様に形成されている。更に、プラスチック容器８は、格納箱６に格納して輸送する際に、上下に位置ずれすることを防止するため、表面に複数の環状突起部８ｂが形成されている。
【００１４】
尚、ビニールポット７の底部に設けられる給水孔７ａと、プラスチック容器８の底部に設けられる水抜き孔８ａとは重ならないように設けられており、ビニールポット７内部からの土が格納箱６内に溢れ出ることを有効に防止できるようになっている。
【００１５】
そして、植物４は、格納箱６に格納する際には、図５に示すように、外観上にギフト的要素を持たせると同時に、植物４が外側の格納箱６や同梱される印刷物５等と直接触れることを防ぎ、且つ、輸送中に、鉢状容器３の上部から用土２がこぼれ落ちることを防止するべく、透明の外装フィルム９で包まれて格納される。
【００１６】
この外装フィルム９の鉢状容器３上部の植物４の茎の部分は、植物用小包１が輸送中に倒れたり、逆さになる場合があり得ることを想定して、鉢状容器３の上部から用土２がこぼれないよう輪ゴム１０で止められている。
【００１７】
印刷物５は、例えば、長形、或いは、洋形封筒に、送り主のＰＲ情報や案内を印刷した印刷物を封入したものである。
【００１８】
格納箱６は、その外観が、３つの側面（第１の側面２１、第２の側面２２、第３の側面２３）を有する略三角柱状に形成され、図３に示すような展開形状の１枚の段ボール部材を、図４に示すように折り込むことで形成されるようになっている。
【００１９】
そして、格納箱６の第１の側面２１には、この植物用小包１の届け先の住所を直接記載、或いは、貼付する住所表示部２１ａと、届け先の宛先名を直接記載、或いは、貼付する宛先表示部２１ｂの届け先表示部とが設けられ、左上隅には、例えば、「料金後納郵便」等の料金表示部２１ｃと、小包の規格（例えば、冊子小包）を表示する種別表示部２１ｄとが設けられ、下部に、送り主を表示する送り主表示部２１ｅが設けられている。
【００２０】
また、格納箱６の第２の側面２２には、格納箱６内部を確認自在で、且つ、外気の通気を行う縦長のスリット状の通気孔２２ａが形成され、この通気孔２２ａの下に、内容物を示す、例えば、「生花在中」等の内容物表示部２２ｂが設けられている。更に、格納箱６の第２の側面２２上部には、取扱注意の注意表示２２ｃ、天地無用の注意表示２２ｄ、格納箱６の材質（本実施の形態では段ボール）を表示する材質表示２２ｅが設けられている。
【００２１】
格納箱６の第２の側面２２の上部には、格納箱６の上蓋部２４が延設される一方、下部には、格納箱６の下蓋部２５が延設されている。
【００２２】
格納箱６の下蓋部２５からは、格納箱６内側の底部に植物４の鉢状容器３を固定する固定部２６が延設されている。
【００２３】
固定部２６は、植物４の鉢状容器３を固定する略三角形状の固定面２６ａと、この固定面２６ａを格納箱６の下蓋部２５に支持する３つの脚部２６ｂとから構成されており、これら脚部２６ｂの１つが下蓋部２５と連続して形成されている。
【００２４】
固定面２６ａの略中央には、植物４の鉢状容器３の外径よりも小さな固定孔２６ｃが設けられ、この固定孔２６ｃから放射状に複数（例えば、６カ所）の切れ込み２６ｄが形成されている。そして、固定孔２６ｃに植物４の鉢状容器３を固定孔２６ｃを拡径して挿通することで、段ボール部材の弾性により格納箱６内側の底部に植物４の鉢状容器３を弾性保持するようになっている。また、鉢状容器３のプラスチック容器８の表面に形成されている環状突起部８ｂが、拡径された固定孔２６ｃの縁部と引掛かることにより、植物４の鉢状容器３が上下に位置ずれすることが有効に防止されるようになっている。
【００２５】
格納箱６の上蓋部２４の中央には、格納箱６内部を確認自在で、且つ、外気の通気を行う円形状の通気孔２４ａが形成されており、この通気孔２４ａは、格納箱６を組み立てる際に内側に折り込んだ上蓋部２４を、指を入れて内側に押し込むことにより、格納箱６が規定通りに形成できるようにする役割も果たしている。
【００２６】
同様に、格納箱６の下蓋部２５の中央には、外気の通気を行う円形状の通気孔２５ａが形成されており、この通気孔２５ａは、格納箱６を組み立てる際に内側に折り込んだ下蓋部２５を、指を入れて内側に押し込むことにより、格納箱６が規定通りに形成できるようにする役割も果たしている。
【００２７】
一方、格納箱６の第２の側面２２の、第１の側面２１が形成された側とは反対側の側面には、第３の側面２３が形成されており、この第３の側面２３には、縦長の切り込み部２３ａが形成されている。
【００２８】
第１の側面２１の外側（第２の側面２２とは反対側の側面）には、水平面部２７を介して切り込み部２３ａに係止自在な突出部２８ａを備えた係止面２８が延設されている。そして、この係止面２８の突出部２８ａは、切り込み部２３ａに差し込んで、例えば、セロハンテープ２９等により止めることにより係止される。
【００２９】
以上のように構成される本発明による植物用小包では、最長辺と幅と高さの長さの和を１．７ｍ以下に形成すると共に重量を３．０kg以下に形成され、冊子小包としての規格を満足するので、輸送コストも安価となる。また、送り先に喜ばれる植物と共に送付するため、確実に開封され、広告効果も大きなものとすることができる。
【００３０】
このため、開封率が低率であることを見越し、数多くの送り先に送付する従来のダイレクトメールは、結果的に高コストとなり、そのＰＲ効果もあまり高くないという問題を有していたが、本願の植物用小包１では、開封率も高く、そのＰＲ効果は大きなものとなり、総じて低コストでの宣伝が可能となる。また、植物という一般に好意的に受け取られるものを送付することで、送り主の企業イメージの向上も期待することができる。更に、送付する植物は、観葉植物と花鉢と多肉植物の何れかであり、そのまま長期に亘り育成できるものであるため、その植物を観る度に、送り主を顧みてもらえる等、長期に亘る宣伝効果が期待できる。
【００３１】
尚、本実施の形態では、植物用小包１の三角柱状の格納箱６の一辺を平らな面として水平面部２７を形成するようにしているが、もちろん水平面部２７は無くしても良い。また、本実施の形態では、略三角柱状の植物用小包１を例に説明したが、円筒状、ハニカム状等の多角形状の柱状の小包とすることもできる。
【図面の簡単な説明】
【００３２】
【図１】植物用小包の正面及び左側面の説明図
【図２】植物用小包の正面及び右側面の説明図
【図３】植物用小包の格納箱の展開図
【図４】植物用小包を組み立てる際の説明図
【図５】植物用小包内に格納される植物の様子を示す説明図
【図６】植物の説明図
【図７】植物の断面説明図
【符号の説明】
【００３３】
１    植物用小包
２    用土
３    鉢状容器
４    植物
５    印刷物
６    格納箱
７    ビニールポット
８    プラスチック容器
９    外装フィルム
１０    輪ゴム
２１    第１の側面
２１ａ  住所表示部（届け先表示部）
２１ｂ  宛先表示部（届け先表示部）
２２    第２の側面
２２ａ  通気孔
２３    第３の側面
２３ａ  切り込み部
２４    上蓋部
２４ａ  通気孔
２５    下蓋部
２５ａ  通気孔
２６    固定部
２８    係止面
２８ａ  突出部
【図１】
2008254803.tif 000003
【図２】
2008254803.tif 000004
【図３】
2008254803.tif 000005
【図４】
2008254803.tif 000006
【図５】
2008254803.tif 000007
【図６】
2008254803.tif 000008
【図７】
2008254803.tif 000009